(57)【要約】  本発明は、誤操作の抑制を図ったヘッドホン装置を提供することを目的としている。  ヘッドホン装置（１）は、音を放射する放音部（２）と、放音部の音放射方向とは反対側に設けられたタッチセンサ面（２３Ａ）と、を備え、タッチセンサ面の周囲を囲う保護部材（４４）が設けられている。これにより、放音部を耳に装着する際、放音部の耳に対する位置を変更する際、放音部を耳から取り外す際、に放音部に手を掛けた場合にも、タッチセンサ面の周囲を囲うように設けられた保護部材が障壁となって、これを使用者が掴むこととなり、よって、使用者の意図しないタッチセンサ面へのタッチが抑制されて、誤操作の抑制を図ることができる。
2016067458.tif 000002
【特許請求の範囲】
【請求項１】
音を放射する放音部と、
前記放音部の音放射方向とは反対側に設けられたタッチセンサ面と、を備え、
前記タッチセンサ面の周囲を囲う保護部材が設けられていることを特徴とするヘッドホン装置。
【請求項２】
前記音放射方向における、前記保護部材の前記音放射方向とは反対側の端部の位置が、前記タッチセンサ面と略同じ位置になっていることを特徴とする請求項１記載のヘッドホン装置。
【請求項３】
前記保護部材が、前記音放射方向における当該音放射方向とは反対側の端部に、前記タッチセンサ面と略面一となるような面を有していることを特徴とする請求項１又は請求項２記載のヘッドホン装置。
【請求項４】
前記保護部材に一端が接続された腕部を備え、
前記放音部が、前記保護部材により支持されていることを特徴とする請求項１記載のヘッドホン装置。
【請求項５】
前記保護部材には、前記放音部を二箇所で支持する一対の支持部材が設けられていることを特徴とする請求項４記載のヘッドホン装置。
【請求項６】
前記放音部が、前記一対の支持部材を軸として前記保護部材に回動可能に設けられ、
前記保護部材は、前記音放射方向における前記音放射方向とは反対側の端部に、前記放音部が回動した際に、所定の位置で前記タッチセンサ面と平行となるような面を有していることを特徴とする請求項５記載のヘッドホン装置。
【請求項７】
前記保護部材は、前記音放射方向における前記音放射方向とは反対側の前記端部に、前記放音部が回動した際に、所定の位置で前記タッチセンサ面と略面一となるような面を有していることを特徴とする請求項６記載のヘッドホン装置。
【請求項８】
前記放音部が前記所定位置にある際に、前記保護部材と前記放音部との間には、所定幅を有する隙間が形成され、
前記放音部が、前記保護部材に当接することで前記放音部の回動が停止するように構成されていることを特徴とする請求項６記載のヘッドホン装置。
【請求項９】
前記タッチセンサ面は、その平面視が円形状に構成され、
前記保護部材が、前記タッチセンサ面と同心円を成すリング状に構成されていることを特徴とする請求項８記載のヘッドホン装置。
【請求項１０】
前記タッチセンサ面には、タップ操作を感知するタップ操作領域が設けられ、
前記タップ操作領域が、前記タッチセンサ面と平行で前記一対の支持部材を結ぶ直線と直交方向の前記タッチセンサ面の両端部近傍を除く領域に設けられていることを特徴とする請求項６乃至請求項９のうち何れか一項記載のヘッドホン装置。
【発明の詳細な説明】
【技術分野】
【０００１】
本発明は、ヘッドホン装置に関する。
【背景技術】
【０００２】
上述したヘッドホン装置として、タッチパネル式の操作部を備えたヘッドセット装置が開示されている（例えば、特許文献１参照）。この特許文献１に開示されたヘッドセット装置は、耳に装着される略たまご形のヘッドセット本体と、操作部と、を備えている。このヘッドセット本体には、耳の形状に合わせた耳掛け部が設けられており、これを耳に掛けることにより、ヘッドセット本体の装着状態が実現される。【０００３】
操作部は、いわゆるタッチパネル式の操作部であり、ある程度面積の大きなタッチパネルがヘッドセット本体のほぼ中央位置に設けられている。タッチパネルは、指で軽く触れるだけで操作することができるので、操作ボタンのように押圧力を加える必要がなく、耳への負担が軽減される。【０００４】
また、タッチパネル式の操作部の場合、様々な操作をただ１つのタッチパネルで行うことも可能である。例えば、指が触れている時間、回数、動き、またはこれらの組み合わせにより操作機能を選択することができ、操作ボタンを探すことなく種々の操作を行うことができる。【０００５】
しかしながら、従来のヘッドホン装置にあっては、ヘッドセット本体を耳に装着する際、耳に対する位置を変更する際、ヘッドセット本体を耳から取り外す際、にヘッドセット本体に手を掛けた時に、タッチパネルに意図せずともタッチしてしまい誤操作を招く可能性があった。
【先行技術文献】
【特許文献】
【０００６】
【特許文献１】特開２００６−３３１５０号公報
【発明の概要】
【発明が解決しようとする課題】
【０００７】
本発明は、このような問題点に対処することを課題の一例とするものである。即ち、誤操作の抑制を図ったヘッドホン装置を提供することを目的としている。
【課題を解決するための手段】
【０００８】
上記課題を解決するために、請求項１に記載のヘッドホン装置は、音を放射する放音部と、前記放音部の音放射方向とは反対側に設けられたタッチセンサ面と、を備え、前記タッチセンサ面の周囲を囲う保護部材が設けられていることを特徴としている。
【図面の簡単な説明】
【０００９】
【図１】本発明の一実施例にかかるヘッドホン装置を示す斜視図である。
【図２】図１に示すヘッドホン装置をタッチセンサ面から見た平面図であり、タッチセンサ面におけるタップ操作領域の位置を説明するための図である。
【図３】（Ａ）（Ｂ）（Ｃ）は、図１に示されたヘッドホン装置において、放音部が回動する様子を示す側面図である。
【図４】本発明の他の実施例にかかるヘッドホン装置のタッチセンサ面から見た平面図である。
【図５】本発明のさらに他の実施例にかかるヘッドホン装置の側面図である。
【発明を実施するための形態】
【００１０】
以下、本発明の一実施の形態にかかるヘッドホン装置を説明する。本発明の一実施の形態にかかるヘッドホン装置は、音を放射する放音部と、放音部の音放射方向とは反対側に設けられたタッチセンサ面と、を備え、タッチセンサ面の周囲を囲う保護部材が設けられている。
【００１１】
放音部を耳に装着する際、放音部の耳に対する位置を変更する際、放音部を耳から取り外す際、に放音部に手を掛けた場合にも、タッチセンサ面の周囲を囲うように設けられた保護部材が障壁となって、これを使用者が掴むこととなり、よって、使用者の意図しないタッチセンサ面へのタッチが抑制されて、誤操作の抑制を図ることができる。
【００１２】
また、音放射方向における、保護部材の音放射方向とは反対側の端部の位置が、タッチセンサ面と略同じ位置になっていてもよい。これにより、使用者の意図しないタッチセンサ面へのタッチを、効果的に抑制することができ、誤操作をより一層抑制することができる。
【００１３】
また、保護部材が、音放射方向における当該音放射方向とは反対側の端部に、タッチセンサ面と略面一となるような面を有していてもよい。これにより、使用者の意図しないタッチセンサ面へのタッチを、効果的に抑制することができ、誤操作をより一層抑制することができる。
【００１４】
また、保護部材に一端が接続された腕部を備え、放音部が、保護部材により支持されていてもよい。このような腕部が設けられていることにより、放音部が、使用者に安定的に装着される。
【００１５】
また、保護部材には、放音部を二箇所で支持する一対の支持部材が設けられていてもよい。これにより、放音部が保護部材によって安定的に支持される。
【００１６】
また、放音部が、支持部材を軸として保護部材に回動可能に設けられ、保護部材は、音放射方向における音放射方向とは反対側の端部に、放音部が回動した際に、所定の位置でタッチセンサ面と平行となるような面を有していてもよい。これにより、放音部による、使用者の耳へのフィット感の向上を図りつつ、使用者の意図しないタッチセンサ面へのタッチを抑制する構造を実現することができ、誤操作をより一層抑制することができる。
【００１７】
また、保護部材は、音放射方向における音放射方向とは反対側の端部に、放音部が回動した際に、所定の位置でタッチセンサ面と略面一となるような面を有していてもよい。これにより、放音部による、使用者の耳へのフィット感の向上を図りつつ、使用者の意図しないタッチセンサ面へのタッチを効果的に抑制する構造を実現することができ、誤操作をより一層抑制することができる。
【００１８】
また、放音部が所定位置にある際に、保護部材と放音部との間には、所定幅を有する隙間が形成され、放音部が、保護部材に当接することで放音部の回動が停止するように構成されていてもよい。これにより、放音部の回動範囲が、所定幅によって規定されることとなり、よって、簡単な構成で放音部の過剰な変位を抑制することができるとともに、使用者の意図しないタッチセンサ面へのタッチを抑制し、誤操作を抑制することができる。
【００１９】
また、タッチセンサ面は、その平面視が円形状に構成され、保護部材が、タッチセンサ面と同心円を成すリング状に構成されていてもよい。円形は他の形状に比べて外力に対しても壊れ難く、円形の保護部材は構造上信頼性が高い。
【００２０】
また、タッチセンサ面には、タップ操作を感知するタップ操作領域が設けられ、タップ操作領域が、タッチセンサ面と平行で一対の支持部材を結ぶ直線と直交方向のタッチセンサ面の両端部近傍を除く領域に設けられていてもよい。当該両端部近傍は、放音部が回動した際の位置によって、保護部材よりも突出する場合があるが、仮にここがタッチされた場合であっても、ここにはタップ操作領域が設けられていない。従って、タップ操作領域へのタッチを十分に抑制することができ、誤操作をより一層抑制することができる。
【実施例】
【００２１】
以下、本発明の一実施例のヘッドホン装置を図１乃至図３に基づいて説明する。図１は、本発明のヘッドホン装置の一実施例を示す斜視図である。図２は、図１に示すヘッドホン装置をタッチセンサ面から見た平面図であり、タッチセンサ面におけるタップ操作領域の位置を説明するための図である。図３（Ａ）（Ｂ）（Ｃ）は、図１に示されたヘッドホン装置において、放音部が回動する様子を示す側面図である。図４は、本発明の他の実施例にかかるヘッドホン装置のタッチセンサ面から見た平面図である。図５は、本発明のさらに他の実施例にかかるヘッドホン装置の側面図である。【００２２】
ヘッドホン装置は、図１に示すように、音を放射する一対の放音部２を備えている。一対の放音部２は、ヘッドバンド３に支持されて、使用者の耳に装着される。さらに、ヘッドホン装置１には、一対の放音部２をヘッドバンド３に保持させる保持機構４が設けられている。【００２３】
一対の放音部２は、それぞれ、スピーカユニット２０と、このスピーカユニット２０を内蔵する扁平な円柱状のハウジング２１と、を備えて構成されている。【００２４】
ハウジング２１には、使用者がヘッドホン装置１を装着した状態（以下では、単に「ヘッドホン装着状態」と記す場合がある）で、スピーカユニット２０の音放射方向が、使用者の耳に向かうようにスピーカユニット２０が収容されている。また、ハウジング２１には、ヘッドホン装着状態で、ハウジング２１と使用者の耳との間に密閉空間を形成するためのリング状のイヤパッド２２が装着されている。ここで、本明細書では、ヘッドホン装着状態で、一対の放音部２が対向する方向を左右方向（矢印Ｚ方向）と記す場合があり、ヘッドホン装着状態における鉛直方向を上下方向（矢印Ｙ方向）と記す場合がある。【００２５】
このハウジング２１には、スピーカユニット２０の音放射方向とは反対側に設けられた平坦面２３と、この平坦面２３に連続する周面２４と、が設けられている。平坦面２３は、ハウジング２１の中心軸に対して直交する方向に延在する、平面視が円形状の面であり、その全体に、各種の操作を行うためのタッチセンサ面２３Ａが設けられている。タッチセンサ面２３Ａは、一対の平坦面２３のうち片方、若しくは両方に設けられている。ここでいう各種の操作とは、スピーカユニット２０に接続される音発生装置（例えば、ラジオ、テレビ、オーディオ機器、パソコン、タブレット等）から発生する音源（音）の音量操作や、これらの音発生装置に記憶された曲の再生停止操作や、次の曲へ先送り操作、前の曲への巻戻し操作、曲のリピート再生操作等のことをいう。なお、本実施例において、ヘッドホン装置１は、前記音発生装置にＢｌｕｅｔｏｏｔｈ（登録商標）接続されている。【００２６】
タッチセンサ面２３Ａは、検知対象としての指の動きを検知するように構成されている。タッチセンサ面２３Ａに、使用者の指等が触れ、この状態で動かされることで、スクロール動作やタップ動作が可能である。ここで、スクロール動作とは、指をタッチセンサ面２３Ａ上にひきずる動作のことであり、タップ動作とは、指をタッチセンサ面２３Ａに所定時間以上接触させる動作のことである。スクロール動作のスクロール方向には、例えば、タッチセンサ面２３Ａ上の矢印Ｘ方向（図２に示す）、矢印Ｘ方向と反対方向、矢印Ｙ方向（図２に示す）、矢印Ｙ方向と反対方向等があり、それぞれの動作には、例えば楽曲の演奏開始、次の楽曲へのトラック送り等が割り当てられている。また、このタッチセンサ面２３Ａには、図２に示すように、タップ操作を感知するタップ操作領域５（一点鎖線で囲まれた部分）が設けられている。同図に示すように、このタップ操作領域５として、３か所のタップ操作領域５が、タッチセンサ面２３Ａの中心を通る前後方向（矢印Ｘ方向）に並んで設けられている。即ち、タップ操作領域５が、タッチセンサ面２３Ａの中心を通って一対の支持部材４５を結ぶ直線と直交方向（上下方向）のタッチセンサ面２３Ａの両端部近傍を除く領域に設けられている。また、３か所のタップ操作領域５には、それぞれ、異なる操作が割り当てられている。なお、ここでいう「前後方向」とは、ヘッドホン装着状態における使用者の前後方向のことであり、前述した「左右方向」と「上下方向」の双方向に直交する方向のことである。【００２７】
ヘッドバンド３は、何れの位置においても略等しい幅寸法を有する帯板状に形成され、使用者の頭部の形状に沿うような円弧状に形成されている。このヘッドバンド３は、放音部２を使用者の耳に押し当てる側圧を付与する機能と、スピーカユニット２０を使用者の頭部に支持する機能と、を有して構成されている。【００２８】
保持機構４は、一対の放音部２を保持する一対の保持部４０と、一対の保持部４０とヘッドバンド３とを連結する一対の連結部４１と、を備えて構成されている。【００２９】
一対の保持部４０は、それぞれ、ハウジング２１の平坦面２３を囲うように設けられている。一対の保持部４０は、タッチセンサ面２３Ａへのタッチを抑制するタッチ抑制部４２と、このタッチ抑制部４２から連結部４１に向けて板状に立設形成された腕部４３と、を一体に備えている。【００３０】
タッチ抑制部４２は、タッチセンサ面２３Ａと同心円を成すリング状に形成された保護部材４４と、放音部２のハウジング２１を回動可能に支持する一対の支持部材４５と、を備えて構成されている。円形は、他の形状に比べて外力に対しても壊れ難く、円形の保護部材４４は、構造上信頼性が高い。即ち、このようなタッチセンサ面２３Ａ及び保護部材４４は、外力に対して強度を確保することができる。また、放音部２を二箇所で支持する一対の支持部材４５が設けられていることにより、放音部２が保護部材４４によって安定的に支持される。この保護部材４４は、タッチセンサ面２３Ａの周方向に途切れることなく連続形成されている。この保護部材４４には、腕部４３の一端が連続形成（接続）されている。【００３１】
保護部材４４は、その中心軸方向に所定の厚さを有して構成されるとともに、使用者の耳から離れた外面４ａ（放音部２の音放射方向とは反対側の面）が、放音部２の回動途中の所定の位置（例えば、図３の（Ｂ）の状態）において、タッチセンサ面２３Ａと略面一に形成されている。こうして、使用者の意図しないタッチセンサ面２３Ａへのタッチが抑制される。【００３２】
放音部２は、そのタッチセンサ面２３Ａと保護部材４４の前記外面４ａとが面一になる位置において、保護部材４４との間に、所定幅の隙間が空くように形成されている。また、放音部２は、保護部材４４に当接することで放音部２の回動が停止するように構成されている。この隙間の所定幅により、放音部２の保護部材４４に対する回動範囲が規定されている。こうして、使用者の耳への放音部２のフィット感を確保しつつ、簡単な構成で放音部２の過剰な変位が抑制される。【００３３】
一対の支持部材４５は、腕部４３の立設方向に交差（直交）するとともに、タッチセンサ面２３Ａの中心を通る直線の方向に対向配置されている。即ち、一対の支持部材４５は、保護部材４４から放音部２の周面２４に向けて棒状に突出形成されて、これら一対の支持部材４５間を結ぶ直線が、腕部４３の立設方向に交差（直交）する位置となるように形成されている。【００３４】
このようなタッチ抑制部４２は、図３（Ａ）（Ｂ）（Ｃ）に示すように、ヘッドホン装着状態で、一対の支持部材４５が前後方向（矢印Ｘ方向）を軸として延在しているから、放音部２は、上下に回動可能に設けられている。ここで、ヘッドホン装着状態において、タップ操作領域５は、タッチセンサ面２３Ａの中心を通って前後方向に並んで設けられている。また、図２に示すように、一対の支持部材４５は、３か所のタップ操作領域５が並ぶ方向（前後方向）の両側に設けられている。換言すると、タップ操作領域５が、一対の支持部材４５を結ぶ直線上を除く位置（図２における符号５を除く位置）には設けられていない。このため、例えば、図３（Ａ）（Ｃ）に示すように、放音部２が回動した際の位置によって、タッチセンサ面２３Ａが、保護部材４４よりも突出する場合があるが、仮に、図２における符号５を除く位置がタッチされた場合であっても、ここにはタップ操作領域５が設けられていない。従って、タップ操作領域５へのタッチが抑制され、誤操作が抑制される。【００３５】
腕部４３は、該腕部４３の保護部材４４への付け根から連結部４１に向かうにしたがって、所定幅が狭くなるような帯板状に形成されている。また、この腕部４３は、連結部４１に向かうにしたがって、使用者側に向かうように曲げられて形成されている。【００３６】
一対の連結部４１は、腕部４３とヘッドバンド３との間に設けられて、連結部４１と腕部４３との境界部分が、これらの連結部４１と腕部４３の連結方向を中心軸として回転可能に設けられている。このような連結部４１により、ヘッドバンド３に対して腕部４３に支持された放音部２の前後の向き（角度）が調整可能となっている。また、放音部２は、一対の支持部材４５により上下に回動可能に設けられているから、放音部２の上下の向きが調整可能となっている。このように一対の放音部２は、前後方向及び上下方向（矢印Ｙ方向）の向きが調整可能に構成されていることで、使用者の耳にフィットした状態で装着される。【００３７】
上述した実施例によれば、放音部２を耳に装着する際、放音部２の耳に対する位置を変更する際、放音部２を耳から取り外す際、に放音部２に手を掛けた場合にも、タッチセンサ面２３Ａの周囲を囲うように設けられた保護部材４４が障壁となって、これを使用者が掴むこととなり、よって、使用者の意図しないタッチセンサ面２３Ａへのタッチが抑制されて、誤操作の抑制を図ることができる。【００３８】
上述した実施例におけるヘッドホン装置１において、保護部材４４は、その周方向に途切れることなく連続形成されているが、本発明はこれに限定されるものではない。保護部材は、周方向に断続的に形成されていてもよい。この場合には、保護部材は、使用者が放音部２を掴む際に障壁となるような位置にのみ形成されていればよい。また、音放射方向における、保護部材の音放射方向とは反対側の端部には凹凸があってもよく、この場合は、タッチセンサ面と略同じ位置になっていればよい。【００３９】
また、上述した実施例におけるヘッドホン装置１において、保護部材４４は、その平面形状が、タッチセンサ面２３Ａと同心円を成すリング状に形成されているが、本発明はこれに限定されるものではない。保護部材は、その平面形状が、楕円形状であってもよく、矩形状であってもよく、タッチセンサ面２３Ａを囲うことができるような形状であれば如何なる形状であってもよい。【００４０】
また、上述した実施例におけるヘッドホン装置１において、タッチセンサ面２３Ａは、その平面視が円形状に形成されているが、本発明はこれに限定されるものではない。図４に示すように、タッチセンサ面１２３Ａは、その平面視が楕円形状であってもよい。この場合において、保護部材１４４は、その平面形状が、楕円形状であってもよい。なお、図４において、上述した実施例と同一構成乃至同一機能を有する部分には、同一符号を付して説明を省略する。【００４１】
また、上述した実施例におけるヘッドホン装置１は、ヘッドバンド３を有しているが、本発明はこれに限定されるものではない。ヘッドバンド３は必須の構成要素では無いので省略してもよい。その場合には、ヘッドホン装置は、放音部２及び保持機構４を使用者の耳に装着することができるような引っ掛け機能を有していればよい。【００４２】
また、上述した実施例におけるヘッドホン装置１において、放音部２が、保護部材４４に対して回動可能に設けられているが、本発明はこれに限定されるものではない。図５に示すように、保護部材４４の使用者の耳から離れた外面４ａ（放音部２の音放射方向とは反対側の面）が、タッチセンサ面２３Ａと略面一となる位置で、放音部２が、保護部材２４４に対して回動不能に固定されていてもよい。その場合には、一対の支持部材４５は省略してもよく、保護部材２４４と放音部２とが隙間なく設けられていてもよい。また、保護部材２４４が放音部２に固定された場合には、腕部２４３は、ハウジング２１の周面２４に連続形成（接続）されていてもよい。即ち、腕部は、保護部材に接続されていなくともよい。なお、図５において、上述した実施例と同一構成乃至同一機能を有する部分には、同一符号を付して説明を省略する。【００４３】
また、上述した実施例におけるヘッドホン装置１において、保護部材４４は、音放射方向における音放射方向とは反対側の外面４ａ（放音部の音放射方向とは反対側の面）が、放音部２の回動途中の所定の位置において、タッチセンサ面２３Ａと略面一に形成されているが、本発明はこれに限定されるものではない。保護部材４４は、音放射方向における音放射方向とは反対側の外面４ａが、放音部２が回動した際に、所定の位置でタッチセンサ面２３Ａと平行で、かつ、タッチセンサ面２３Ａから音放射反対方向に突出する面を有して構成されていてもよく、前記外面４ａが、放音部２が回動した際に、所定の位置でタッチセンサ面２３Ａと平行で、かつ、タッチセンサ面２３Ａから音放射反対方向に僅かに没する面（凹んだ面）を有して構成されていてもよい。【００４４】
また、上述した実施例におけるヘッドホン装置１において、保護部材４４は、音放射方向における音放射方向とは反対側の外面４ａに、タッチセンサ面２３Ａと平行な面を有していたが、本発明はこれに限定されるものではなく、保護部材は、音放射方向における音放射反対方向側の端部が、線状、曲面状、等平面を有さなくてもよい。【００４５】
また、上述した実施例におけるヘッドホン装置１において、タップ操作領域５は、一対の支持部材４５を結ぶ直線上に設けられているが、本発明はこれに限定されるものではない。ヘッドホン装置において、タップ操作領域は、タッチセンサ面２３Ａと平行で一対の支持部材４５を結ぶ直線と直交方向のタッチセンサ面２３Ａの両端部近傍を除く領域に設けられていればよく、よって、当該両端部近傍以外の位置であれば、一対の支持部材４５を結ぶ直線上に設けられていなくともよい。【００４６】
当業者は、従来公知の知見に従い、本発明の骨子を逸脱しない範囲で種々改変して実施することができる。かかる改変によってもなお本発明のヘッドホン装置の構成を具備する限り、勿論、本発明の範疇に含まれるものである。
【符号の説明】
【００４７】
１                          ヘッドホン装置
２                          放音部
５                          タップ操作領域
２１                        ハウジング
２３Ａ 、１２３Ａ           タッチセンサ面
４３、２４３                腕部
４４、１４４、２４４        保護部材
４５                        支持部材
【図１】
2016067458.tif 000003
【図２】
2016067458.tif 000004
【図３】
2016067458.tif 000005
【図４】
2016067458.tif 000006
【図５】
2016067458.tif 000007
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
音を放射する放音部と、
前記放音部の音放射方向とは反対側に設けられたタッチセンサ面と、
前記タッチセンサ面の周囲を囲う保護部材と、
前記保護部材に一端が接続された腕部と、
を、備え、
前記保護部材には、前記放音部を二箇所で支持する一対の支持部材が設けられ、 
前記放音部が、前記一対の支持部材を軸として前記保護部材に回動可能に設けられ、  
前記タッチセンサ面には、タップ操作を感知するタップ操作領域が設けられ、
前記タップ操作領域が、前記タッチセンサ面と平行で前記一対の支持部材を結ぶ直線と直交方向の前記タッチセンサ面の両端部近傍を除く領域に設けられていることを特徴とするヘッドホン装置。
【請求項２】
前記音放射方向における、前記保護部材の前記音放射方向とは反対側の端部の位置が、前記タッチセンサ面と略同じ位置になっていることを特徴とする請求項１記載のヘッドホン装置。
【請求項３】
前記保護部材が、前記音放射方向における当該音放射方向とは反対側の端部に、前記タッチセンサ面と略面一となるような面を有していることを特徴とする請求項１又は請求項２記載のヘッドホン装置。
【請求項４】
前記保護部材は、前記音放射方向における前記音放射方向とは反対側の端部に、前記放音部が回動した際に、所定の位置で前記タッチセンサ面と略面一となるような面を有していることを特徴とする請求項１記載のヘッドホン装置。
【請求項５】
前記放音部が前記所定位置にある際に、前記保護部材と前記放音部との間には、所定幅を有する隙間が形成され、
前記放音部が、前記保護部材に当接することで前記放音部の回動が停止するように構成されていることを特徴とする請求項１記載のヘッドホン装置。
【請求項６】
前記タッチセンサ面は、その平面視が円形状に構成され、
前記保護部材が、前記タッチセンサ面と同心円を成すリング状に構成されていることを特徴とする請求項５記載のヘッドホン装置。
【手続補正２】
【補正対象書類名】明細書
【補正対象項目名】０００８
【補正方法】変更
【補正の内容】
【０００８】
上記課題を解決するために、請求項１に記載のヘッドホン装置は、音を放射する放音部と、前記放音部の音放射方向とは反対側に設けられたタッチセンサ面と、前記タッチセンサ面の周囲を囲う保護部材と、前記保護部材に一端が接続された腕部と、を、備え、前記保護部材には、前記放音部を二箇所で支持する一対の支持部材が設けられ、  前記放音部が、前記一対の支持部材を軸として前記保護部材に回動可能に設けられ、前記タッチセンサ面には、タップ操作を感知するタップ操作領域が設けられ、前記タップ操作領域が、前記タッチセンサ面と平行で前記一対の支持部材を結ぶ直線と直交方向の前記タッチセンサ面の両端部近傍を除く領域に設けられていることを特徴としている。
【国際調査報告】
2016067458.tif 000008
2016067458.tif 000009